(57)【要約】【課題】環境問題に配慮し使用済み飲用容器所謂ペットボトルを再利用しお茶などを作る事が求められている。特別な器具を使わずペットボトルの細い口からでも簡単に出し入れができるティーバッグで、ティーバッグをペットボトルに入れたまま既存の蓋で栓ができ又携帯することができるティーバッグを提供する。【解決手段】本体（１）の縦中央（４）を中心として左右に区分され茶葉等の嗜好物が封入された個室（５）有する。個室は細長い形状となっており、本体中央より縦半分にできペットボトルの細口に挿入できる。茶葉が水を吸っても縦方向に膨らみペットボトルの口に引っかからずに取り出せる。つかみ代片（３）はペットボトルの中に入り込むのを防ぐためペットボトルの口より大きいく又引っかかる強度のあるものとし、つかみ代片の片面に粘着性をもたせる。ティーバッグを入れたまま既存の蓋で詮ができ携帯できる。好みの濃さになればつかみ代片を引っ張り本体を取り出す。【選択図】図１
0003114023.tif 000002
【実用新案登録請求の範囲】
【請求項１】
本体のたて中央を境界として左右に区分し各個室を形成すると共に各々の個室に日本茶、紅茶、コーヒー等の嗜好物を封入し且つ各々のつかみ代片とを吊り糸にて連なるティーバッグ
【請求項２】
ティーバッグの各個室は中央にて縦半分に折り重ねられるようにした請求項１記載のティーバッグ。
【請求項３】
ティーバッグ本体は中央にて破断して左右個室に分割できるようにした請求項１，２記載のティーバッグ。
【請求項４】
つかみ代片は飲料容器の口より大きな形状とし飲口に引っかかり止る強度のあるもので、且つ中央にて破断分割でき各々吊り糸にて本体と結ばれている請求項１，２，３記載のティーバッグ。
【請求項５】
つかみ代片の片面には、粘着保護シールを取り外すと粘着性を持たせたつかみ代片となりティーバッグ本体が広口水筒の中へ落込むのを防げる請求項１，２，３，４記載のティーバッグ。
【考案の詳細な説明】
【技術分野】
【０００１】本考案は使用済み飲料容器、所謂ペットボトルを再利用して簡単にお茶等が作れるティーバッグに関するものである。
【背景技術】
【０００２】ティーバッグは従来より広く使用されているがほとんどが台形や三角の立方体でティーカップのように広口で浅い容器にしか使用できない。ペットボトル等の細い飲口には従来のティーバッグでは入れにくく、ペットボトルの中で、水で膨らんだティーバッグは取り出せない。ティーバッグを取り出すつかみ代片は簡単にペットボトルの中に入り込んでしまいティーバッグが取り出せない。
【考案の開示】
【考案が解決しようとする課題】
【０００３】昨今ペットボトルに入ったお茶が大量に販売されそれと平行して大量の空のペットボトルがリサイクルに出されているが、環境問題から空になったペットボトルをリサイクルに出す前に再度利用して簡単にお茶を作る事が求められている。そこで手軽なティーバッグでお茶を作りたいと思っても従来のティーバッグは短時間に茶葉エキスを抽出したいため底が広く立方体になっていてペットボトルの細い飲口から入れにくく、水を入れたペットボトルの細い飲口からティーバッグを無理やり入れたとしても、ティーバッグを取り出すとき茶葉は水分で膨れてペットボトルの飲口にひっかかり取り出せない。無理やり取り出そうとティーバッグの吊り糸を引っ張ればティーバッグから吊り糸が外れてしまいティーバッグ本体はペットボトルの中に残ってしまう。ペットボトルの中に残ったティーバッグ本体は細い棒等でペットボトルの中で破り取り出さなくてはならない。従来のティーバッグはカップ用に作られているのでペットボトルのように縦に長い物に使用するには吊り糸が短くペットボトルの半分以下の水の量の場合は対応できないしティーバッグがペットボトルの底に沈めばつかみ代片ごと簡単にペットボトルの中に入り込んでしまう。
【課題を解決するための手段】
【０００４】ティーバッグ本体の縦中央を境界とし左右に個室を設ける。各個室は縦に細長く二つ折りができペットボトル等の細い飲口から簡単に入れられる。縦に細長くすることで茶葉が縦に分散されティーバッグの底に溜まりにくくなり茶葉が水で膨らんでも取り出しやすい。ティーバッグの縦中央線所謂ミシン目で破断分割でき少ない水や好みの濃さにも対応できるように茶葉の量を調節できる。ティーバッグのつかみ代片は一般のペットボトルの飲口より大きくしペットボトルの口に入り込まない強度のあるものとする。広口水筒には、つかみ代片の片面に粘着面を設け粘着保護のシールを取ることで広口水筒の外部につかみ代片を粘着させることで誤って水筒の中にティーバッグ本体が入り込むのを防ぐ。ペットボトル、広口水筒共にティーバッグを入れたまま既存の蓋で詮ができ携帯できるものである。
【考案の効果】
【０００５】環境問題からペットボトルの再利用が求められている。ペットボトルを利用してお茶を作りたいと思っても、従来よりティーバッグはティーカップや湯のみ茶わん等広口で底の浅い容器には利用できるが、細い飲口で底の深いペットボトルなどには利用できない。この考案はティーバッグ本体の縦中央に境界を設け、茶葉を従来の横広がりから縦方向に分散させることでティーバッグ本体をペットボトルの細口からでも入れやすく茶葉が水で膨らんでも取り出しやすくなる。従来のティーバッグは一回の使い切りで、お湯や水につける時間の長さ等でお茶の濃さを調節していたが、本ティーバッグは本体中央線所謂ミシン目孔で破断分割でき茶葉の量が調節できるため無駄なく好みの濃さのお茶が作れる。つかみ代片は、従来のティーバッグを取り出す目的だけのものでなく、ペットボトルの飲口の径より大きく口で止まる強度にすることでペットボトルの中に入り込むのを防げる。又広口水筒にはつかみ代片の片面に粘着面を設け広口水筒の外部に貼り付けられティーバッグが水筒の中に入り込むのを防げ好みの濃さになればティーバッグを取り出せる。従来のティーバッグより長い吊り糸でペットボトルの底までティーバッグを沈めることができ既存の蓋で栓ができ携帯できる。
【考案を実施するための最良の形態】
【実施例】
【０００６】以下実施例を図面にもとずいてその形態を説明すると、図１はティーバッグの正面図であり本体（１）は、ほぼ四角形に形成され、吊り糸（２）、つかみ代片（３）とこの本体（１）の縦中央（４）を中心として左右に区分され、茶葉、コーヒー等の嗜好物が封入された個室（５）を有する。この個室は長細い形状となっており本体中央（４）より縦半分に折り重ねペットボトル等の細口に挿入でき、茶葉等が水を吸っても縦方向で膨らみペットボトルの飲口に引っかからず取り出しやすい形状である。本体は縦中央線所謂ミシン目孔（６）で破断分割できると同時に、つかみ代片も中央線（７）で分割でき各々の個室のみでも使用できる。つかみ代片はペットボトルの口より大きい形状としペットボトルの口で引っかかる強度があるもので、本体がペットボトルの中に落ち込むのを防ぐ。また、ツカミシロ片の片面には粘着性をもたせ、広口水筒には粘着面の保護シールを取り外し広口水筒の外部に貼り付けティーバッグ本体が水筒の中に入り込むのを防ぐことができる。既存の蓋で詮ができそのまま携帯できる。
【図面の簡単な説明】
【０００７】
【図１】本考案の正面図である。
【図２】本考案図１  ａ−ａの断面図である。
【図３】本考案図１  ｂ−ｂの断面図である。
【図４】本考案破断分割後の正面図である。
【図５】本考案使用時状態を示す斜面図である。
【符号の説明】
【０００８】（１）    本体
（２）    吊り糸
（３）    つかみ代片
（４）    本体の縦中央
（５）    個室
（６）    本体の縦中央ミシン目孔
（７）    つかみ代片の中央線
【図１】
0003114023.tif 000003
【図２】
0003114023.tif 000004
【図３】
0003114023.tif 000005
【図４】
0003114023.tif 000006
【図５】
0003114023.tif 000007